(57)【要約】      （修正有）【課題】  ユーザが望まないセキュアプリントジョブの自動消去を回避する。【解決手段】  文書処理装置と画像形成装置と携帯端末装置とからなる画像形成システムであって、前記文書処理装置は、印刷パラメータ設定手段と、プリントジョブ生成手段と、プリントジョブ送信手段とを備え、一方、画像形成装置はプリントジョブ受信手段と、認証情報送信手段と、セキュアプリントジョブ保持手段と、延長指示を受信する受信手段と、認証手段と、延長手段とを有することを特徴とする画像形成システム。【選択図】        図１
2006244372.tif 000002
【特許請求の範囲】
【請求項１】
文書処理装置と画像形成装置と携帯端末装置とからなる画像形成システムであって、前記文書処理装置は、印刷パラメータを設定する印刷パラメータ設定手段と、プリントジョブを生成するプリントジョブ生成手段と、前記画像形成装置へプリントジョブを送信するプリントジョブ送信手段とを備え、一方、画像形成装置はプリントジョブを前記文書処理装置から受信するプリントジョブ受信手段と、プリントジョブ内に指定された宛先へ認証情報を送信する認証情報送信手段と、受信したプリントジョブがセキュアプリントモードの場合に前記プリントジョブを保持するセキュアプリントジョブ保持手段と、前記携帯端末装置からセキュアプリントジョブ保持期限を延長する延長指示を受信する受信手段と、前記認証情報の正否を判別する認証手段と、前記認証手段において認証情報が正しいと判断した場合にセキュアプリントジョブ保持期限を延長する延長手段とを有することを特徴とする画像形成システム。
【請求項２】
前記印刷パラメータ設定手段は、印刷モード設定機能を有し、該印刷モード設定においてセキュアプリントモードが設定された場合にはセキュアプリントジョブの保持期限を設定する機能と、セキュアプリントジョブ出力時の認証情報及び保持期間延長情報の送信宛先を設定する機能とを有することを特徴とする、請求項１記載の画像形成システム。
【請求項３】
前記セキュアプリントジョブは、前記セキュアプリントジョブ保持期限と、前記送信宛先とを有することを特徴とする、請求項１又は２記載の画像形成システム。
【請求項４】
前記セキュアプリントジョブ保持手段は、保持期限経過後にセキュアプリントジョブを削除する機能と、保持期限経過前に保持期限切迫通知メールを前記送信宛先へ送信する機能と、該保持期限切迫通知の送信の有無によらず保持期限経過前に前記受信手段において受信した延長指示に基きセキュアプリントジョブ保持期限を延長する機能とを有することを特徴とする、請求項１ないし３いずれかに記載の画像形成システム。
【請求項５】
前記画像形成装置は、入金手段と、プリントジョブをプリントするために必要な金額を求める計算手段と、前記延長指示に応じて課金を行う機能とを有することを特徴とする、請求項１又は４記載の画像形成システム。
【発明の詳細な説明】
【技術分野】
【０００１】
本発明は、ホストコンピュータ等の文書処理装置と、文書処理装置で生成されたプリントジョブをプリントする画像形成装置とから構成される画像形成システムに関する。
【背景技術】
【０００２】
特許文献１において提案されている画像形成システムでは、ホストコンピュータよりプリントジョブとそれに対して設定されたパスワードとを画像形成装置へ送信し画像形成装置内のハードディスク等の記憶装置にプリントジョブを保持しておき、プリンタの操作部から入力したパスワードが、前記プリントジョブに対応するパスワードと一致した場合にプリントジョブを出力する機能を有している。
【０００３】
このように、パスワードなどの認証情報が正しく認証された場合に画像形成装置に保持されているプリントジョブを出力する機能をセキュアプリントと呼び、また、認証情報付きプリントジョブをセキュアプリントジョブと呼ぶ。
【０００４】
従来のセキュアプリント機能では、ユーザからのセキュアプリントジョブの出力指示が一定期間無き場合、セキュリティ上の観点及び記憶装置容量の有効利用の観点から、記憶装置内に保持されたセキュアプリントジョブを自動的に削除する機能を有している。
【０００５】
ここで、特許文献２において提案されている出力方法では、セキュアプリントジョブ削除時間に画像形成装置が他のプリントジョブで占有される、若しくは紙切れ、紙詰まり等の理由によりセキュアプリントジョブの出力が不可能である場合においてセキュアプリントジョブ保持期限を自動的に延長する機能を有することで、保持期限切れによりプリント出来ない状況を回避している。
【特許文献１】特開平０９−０６５１４８号公報
【特許文献２】特開２００３−１８６６５７号公報
【発明の開示】
【発明が解決しようとする課題】
【０００６】
前記画像形成システム及び出力方法では、画像形成装置の動作状態に起因する、望まないセキュアプリントジョブ削除は回避可能であるが、例えば、ユーザが文書処理装置からある画像形成装置に対しセキュアプリントジョブを送付した後、画像形成装置の設置個所まで移動して操作部からパスワードを入力しプリントジョブを出力する場合において、ユーザが何等かの事由によりセキュアプリントジョブ保持期限までに画像形成装置の設置個所に移動出来ない、といったユーザ側の回避しがたい事由に因りセキュアプリントジョブが出力出来ない状況が生じてしまう、という問題点があった。
【０００７】
本発明は上記従来技術の有する問題点を鑑みてなされたものであり、ユーザが外部携帯機器を用いて画像形成装置にセキュアプリントジョブ保持期限延長を指示することにより、望まないセキュアプリントジョブ削除の回避が可能となる画像形成システムを提供することを目的とする。
【課題を解決するための手段】
【０００８】
上記目的を達成するために、本発明の画像処理システムは、文書処理装置と画像形成装置と携帯端末装置とからなる画像形成システムであって、前記文書処理装置は、印刷パラメータを設定する印刷パラメータ設定手段と、プリントジョブを生成するプリントジョブ生成手段と、前記画像形成装置へプリントジョブを送信するプリントジョブ送信手段とを備え、一方、画像形成装置はプリントジョブを前記文書処理装置から受信するプリントジョブ受信手段と、プリントジョブ内に指定された宛先へ認証情報を送信する認証情報送信手段と、受信したプリントジョブがセキュアプリントモードの場合に前記プリントジョブを保持するセキュアプリントジョブ保持手段と、前記携帯端末装置からセキュアプリントジョブ保持期限を延長する延長指示を受信する受信手段と、前記認証情報の正否を判別する認証手段と、前記認証手段において認証情報が正しいと判断した場合にセキュアプリントジョブ保持期限を延長する延長手段とを有することを特徴とする。
【発明の効果】
【０００９】
本発明に因ればユーザが外部携帯機器を用いてセキュアプリント保持期限を延長することが出来るとともに、ユーザの側の事情に因り保持期限までにセキュアプリントジョブが出力出来ない状況を回避することが出来る。
【発明を実施するための最良の形態】
【００１０】
以下、この発明の好適な実施の形態について図面を参照しながら例示的に詳しく説明する。ただし、この実施の形態に記載されている構成要素はあくまで例示であり、この発明の範囲をそれらのみに限定する趣旨のものではない。
【実施例】
【００１１】
（実施の形態１）
図１は、本発明における第１の実施の形態における画像形成システムの構成図である。文書処理装置であるところのコンピュータ１０３及び画像形成装置であるところのプリンタＡは会社Ａ１０１に存在し、物理的には各デバイスがネットワーク交換機１０２とネットワークケーブル（以後ネットワークとも略称する。）１０６−１〜１０６−２で一対一接続され、ネットワーク交換機１０２が各ケーブル間のルーティング制御を行うと同時に、ネットワークケーブル１０６−３を通じて外部ネットワークであるインターネット１０５と接続されている。
【００１２】
本実施の形態ではネットワークを有線イーサネット（登録商標）で構成しているが、無線ＬＡＮ等の他のインタフェース構成した場合も他の実施の形態である。
【００１３】
まず、コンピュータ１０３からプリンタＡ１０４に通常プリントを行う場合、コンピュータ１０３で作成されたプリントジョブはネットワーク１０６−１、ネットワーク交換機１０２、ネットワーク１０６−２を経由してプリンタＡ１０４に送られる。
【００１４】
本実施の形態の場合、このプリントジョブはページ記述言語（ＰＤＬ：Ｐａｇｅ  Ｄｅｓｃｒｉｐｔｉｏｎ  Ｌａｎｇｕａｇｅ）で記述されたＰＤＬデータである。
【００１５】
そして、プリンタＡ１０４の内部では、コンピュータ１０３から送られてきた通常プリントジョブは、ネットワークインタフェース１０７、ＣＰＵバス１１２を経由して、制御部１１１内のＣＰＵの制御により画像メモリ１１３にラスタ画像として展開される。
【００１６】
次に、画像形成部１０９に起動がかけられ、画像メモリ１１３から読み出された画像データは画像形成部１０９へ送られ画像形成が行われる。通常、画像メモリ１１３は揮発性メモリであり高速なＤＲＡＭで構成される。操作部１１０はユーザが種々の操作指示を行うためのものであり、制御部１１１はＣＰＵや、ＲＯＭ、ＲＡＭを含み、プリンタＡ１０４の制御を行うためのものである。
【００１７】
次に、コンピュータ１０３からプリンタＡ１０４にセキュアプリントを行う場合、コンピュータ１０３から送られてきたセキュアプリント指定情報とパスワード情報が付加されたセキュアプリントジョブは、ネットワークインタフェース１０７及びＣＰＵバス１１２を経由して、制御部１１１内のＣＰＵの制御によりラスタ画像として展開された後、スプール手段１０８に保持される。
【００１８】
そして、ユーザはコンピュータ１０３の場所からプリンタＡ１０４の場所まで移動し、操作部１１０からパスワードを入力する。制御部１１１は、入力されたパスワードが正しいか判断し、正しければ、スプール手段１０８に保持されていたラスタ画像データが画像メモリ１１３に移され、画像形成部１０９に起動がかけられ、画像メモリ１１３から読み出された画像データは画像形成部１０９に送られ画像形成が行われる。スプール手段１０８は通常不揮発性メモリであり大容量かつ安価なハードディスクで構成される。
【００１９】
このセキュアプリントでは、ユーザがパスワードを入力してからプリントが開始されるので、機密文書のプリントアウトを他者に見られる心配がないという利点がある。
【００２０】
続いて、コンピュータ１０３からコンビニエンスストアＡ１１５に設置された複合機Ａ１０１にセキュアプリントを行う場合は、前述したプリンタＡ１０４へのセキュアプリントを行う場合と同様であるが、この場合、両者を繋ぐネットワークはインターネット１０５であり、それぞれが全く異なる場所に存在することが可能である。また、画像形成装置であるところの複合機は、プリンタとして機能に加え、複写機、スキャナ、そしてＦＡＸ等の複数の機能を備えた装置である。複合機Ａ１０１の構成は、プリンタＡ１０４と同様の構成に加え、不図示のスキャナ部や不図示のＦＡＸ送受信部を有する。さらに複合機Ａ１０１は、コピーサービス時の料金を収集するための入金装置１１４を有しており、入金装置に投入した金額分だけコピーが取れる構成となっている。本入金装置は後述のセキュアプリント時における課金にも使用され、後述の所定金額を入金装置へ投入することでセキュアプリントジョブをプリント出来る。
【００２１】
図２は、コンピュータ１０３からプリント指示を行う時に、ユーザが各種印刷パラメータを設定するプリンタドライバの画面構成である。まず、項目２０１はプリントを行う対象プリンタ名を設定するプルダウンメニューであり、あらかじめ登録されているプリンタ又は複合機の中から１台を選択する方式となっている。項目２０２はプリント部数指定用のテキストボックスであり、プリント部数を数字で入力する。項目２０３はプリント対象物の全ページ出力、又は現在のページのみの出力を指定するラジオボタンである。項目２０４は印刷モードを設定するプルダウンメニューであり、通常プリントかセキュアプリントかを設定する。項目２０７はセキュアプリント出力時の認証用パスワードをメールで送信する場合の送信先メールアドレスを入力するテキストボックスであり、項目２０４においてセキュアプリントを設定した場合にのみ入力可能となる。項目２０８はセキュアプリントジョブの保持期限を時間単位で指定するテキストボックスであり、項目２０４においてセキュアプリントが設定された場合のみ入力可能となる。以上の印刷パラメータを設定した後、ＯＫボタン２０５が押下されるとプリントが実行される。
【００２２】
以下、本実施の形態では項目２０７のパスワード送信先アドレスにユーザ所有の携帯電話を指定する場合について詳述する。
【００２３】
図３は、コンピュータ１０３上で実行されるプリンタドライバにおける処理のフローチャートである。まず初めに、アプリケーションプログラム中から操作者がプリントを指示すると、図２で詳述したプリンタドライバ設定画面が表示される。プリンタドライバ設定画面常時後、項目２０５のＯＫボタンが押下されるまでＳ３０１において各印刷パラメータの設定を行う。項目２０５のＯＫボタンが押下されるとＳ３０３へ移り、項目２０４で設定された印刷モードを判別する。ここで、セキュアプリント未設定の場合はＳ３０７へ移り、項目２０１で設定されたプリンタへプリントジョブを送信する。一方、セキュアプリントが設定された場合はＳ３０４において項目２０７におけるメールアドレスの入力の有無を判別する。項目２０７が正しく入力されていない場合はＳ３０８においてコンピュータ１０３の画面上に警告をポップアップ表示しＳ３０１へ戻る。項目２０７が正しく入力されている場合はＳ３０５においてパスワードを生成し、Ｓ３０６において項目２０７で入力されたアドレスへパスワードを記入したメールを送信する。その後、Ｓ３０７へ移り項目２０１で設定されたプリンタへセキュアプリントジョブを送信する。
【００２４】
図４は、画像形成装置におけるプリントジョブ受信タスクの制御フローを示すフローチャートである。まず、Ｓ４０１では、コンピュータ１０３から送信されたプリントジョブを受信する。次にＳ４０２では、そのプリントジョブの中身を調べ、それがセキュアプリントジョブであるかどうか判別する。セキュアプリントジョブでない通常プリントジョブの場合には、Ｓ４０３において受信したプリントジョブであるＰＤＬデータを展開して、ラスタ画像データに変換し、Ｓ４０４に移りプリントを実行する。一方、Ｓ４０２においてセキュアプリントジョブと判別した場合、まず、Ｓ４０５において受信したセキュアプリントジョブから、項目２０７で入力したメールアドレスを抽出する。その後、Ｓ４０６へ移りＰＤＬデータを展開してラスタ画像データに変換し、４０７においてラスタ画像データを、Ｓ４０５で抽出したパスワード及びメールアドレスと共にスプール手段１０８に保持する。本実施の形態ではラスタ画像を圧縮して保持するが、これはスプール手段で必要な容量を削減できるという利点がある。
【００２５】
図５Ａは、画像形成装置におけるプリントジョブ削除タスク１の制御フローを示すフローチャートである。プリントジョブ削除タスクが開始されると、まず、Ｓ５０１において項目２０８で入力されたセキュアプリントジョブ保持時間に基き、セキュアプリントジョブ保持期限変更指示確認メールの送信時間を決定する。続いてＳ５０２に移りジョブ保存時間の計測を開始する。Ｓ５０３において確認メール送信時間までウエイトし、Ｓ５０４においてジョブ保存時間が確認メール送信時間となったら、Ｓ５０５においてＳ４０５で抽出したメールアドレスへ確認メールを送信後、Ｓ５０１へ戻る。
【００２６】
本実施の形態では、保持期限を過ぎたセキュアプリントジョブは自動的に削除される。これにより、ユーザの出力忘れ、又は出力不要となり放置されたセキュアプリントジョブが画像形成装置内の保持手段にいつまでも残ることで発生するセキュリティ上の問題や不用意に保持手段の容量を占有してしまう問題を回避出来る。
【００２７】
図５Ｂは、画像形成装置におけるプリントジョブ削除タスク２の制御フローを示すフローチャートである。Ｓ５０６において、保持期限延長指示メールの受信の有無を確認する。保持期限延長指示メールを受信した場合はＳ５０７へ移り、メールに記載されたパスワードがＳ４０５で抽出したパスワードと一致するかを判別する。一致しない場合は、Ｓ５１０においてパスワード認証に失敗した旨を通知する警告メールを前記保持期限延長指示メールの返信として送信し、Ｓ５０６へ戻る。一方、一致した場合はＳ５０８へ移り、メールに記載された延長指示時間分だけ保持期限を延長する。そして、Ｓ５０９において保持期限を延長した旨を伝えるメールをＳ４０５で抽出したメールアドレスへ送信後、Ｓ５０６へ戻る。
【００２８】
図６は、画像形成装置におけるセキュアプリントジョブのプリントタスクの制御フローを示すフローチャートである。まず、Ｓ６０１ではユーザが操作部１１０でセキュアプリントジョブの出力指示を行ったかを判別する。セキュアプリント出力指示があった場合はＳ６０２へ移り、操作部１１０において項目２０７で指定したメールアドレス入力するようユーザへ促す。そしてＳ６０３へ移り、入力されたメールアドレスに対応するジョブの一覧を操作部１１０へ表示する。続いてＳ６０４において、ユーザが出力選択したジョブのパスワードの入力を促し、Ｓ６０５において入力されたパスワードがＳ４０５で抽出したパスワードと一致するかを判別する。一致しない場合は、Ｓ６１０において警告を操作部１１０へ表示しＳ６０４へ戻る。一方、パスワードが一致した場合は、Ｓ６０６へ移りセキュアプリントジョブの保持期限延長を行ったかを判別する。出力該当ジョブについて保持期限延長を行っている場合は、Ｓ６１１へ移り保持期限延長料金を算出する。本実施の形態では、１時間の保持期限延長に付き出力枚数に応じた料金の一定割合、例えば１０％、を保持期限延長料とする。保持期限延長を行っていない場合、保持期限延長料金は０とする。ついでＳ６０８では、プリント金額を、出力枚数に応じた料金と保持期限延長料金を加算したものとして算出し操作部１１０へ表示する。Ｓ６０８では、入金装置３３の入金額を調べ、入金済みの金額がプリント金額に足りているかを判別し、足りていない場合はＳ６１２で料金追加の旨を示す警告を表示部１１０へ表示してＳ６０７に戻る。入金額がプリント金額以上の場合、Ｓ６０９においてジョブ出力を行う。なお、本実施の形態におけるプリントタスクでは、Ｓ６０２、Ｓ６０３、Ｓ６０４及びＳ６０７の各ステップにおいて不図示のキャンセルボタンの押下により、Ｓ６０１へ戻る構成を取る。
【００２９】
（実施の形態２）
本発明における第２の実施の形態は、第１の実施の形態とは、セキュアプリントジョブのプリントタスクにおける制御フローが異なる。以下では、この差異部分のみを説明する。
【００３０】
図７は、画像形成システムにおける第２の実施例の形態でのセキュアプリントジョブのプリントタスクの制御フローを示すフローチャートである。第１の実施例に対して異なる点は、第１の実施例では、Ｓ６０１においてユーザが操作部１１０においてセキュアプリント指示後、メールアドレス及びパスワードを入力することでジョブ選択及び認証を行う構成をとるが、本実施の形態では、Ｓ３０６においてユーザの携帯電話等へ送信されたパスワード通知メールを画像形成装置へ返信することでセキュアプリント指示を行う構成をとる。
【００３１】
これにより、ユーザが出力すべきジョブを選択しパスワードを入力する手間を省き、ユーザのセキュアプリントジョブ出力の効率向上が出来る。
【００３２】
まず、Ｓ６０１においてユーザが操作部１１０でセキュアプリントジョブの出力指示を行ったかを判別する。セキュアプリント指示があった場合はＳ６０２へ移り、操作部１１０において項目２０７で指定したメールアドレス入力するようユーザへ促す。次に、Ｓ６１３において、Ｓ６０２で入力したメールアドレス以外から送信されたメールに関わる処理の一時停止を設定後、Ｓ６１４において該当メールアドレスからのメール受信待ち設定に入る。該当アドレスのメールを受信した場合、Ｓ６１５において受信メールが前記パスワード通知メールの返信メールであるかを判別する。本実施の形態において、受信したメールが該当メールであるかの判別は、メールのヘッダ情報を解析することで行うものとする。返信メールで無いと判断した場合は、Ｓ６１０において操作部１１０への警告表示を行うとともに該当アドレスへ警告メールを送信する。一方、返信メールを受信した場合は、実施の形態１と同様な手順でプリントジョブ出力を行う。そして、Ｓ６１６において、Ｓ６１３で設定したメール受信排他制御を解除し、Ｓ６０１へ戻る。
【００３３】
（他の実施形態）
以上、本発明の実施形態について詳述したが、本発明は、複数の機器から構成されるシステムに適用しても良いし、また、一つの機器からなる装置に適用しても良い。
【００３４】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００３５】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００３６】
その場合、プログラムの機能を有していれば、オブジェクトコード、インタプリタにより実行されるプログラム、ＯＳに供給するスクリプトデータ等、プログラムの形態を問わない。
【００３７】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００３８】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００３９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４０】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００４１】
さらに、記録媒体から読み出されたプログラムが、コンピュータに挿入された機能拡張ボードやコンピュータに接続された機能拡張ユニットに備わるメモリに書き込まれた後、そのプログラムの指示に基き、その機能拡張ボードや機能拡張ユニットに備わるＣＰＵなどが実際の処理の一部または全部を行ない、その処理によっても前述した実施形態の機能が実現される。
【図面の簡単な説明】
【００４２】
【図１】第１の実施の形態における画像形成システムの構成図である。
【図２】プリンタドライバの設定画面を示す図である。
【図３】文書処理装置のプリンタドライバのフローチャートである。
【図４】画像形成装置のジョブ受信のフローチャートである。
【図５Ａ】画像形成装置の受信ジョブ削除タスクのフローチャートである。
【図５Ｂ】画像形成装置の受信ジョブ削除タスクのフローチャートである。
【図６】第１の実施の形態における画像形成装置のプリントタスクのフローチャートである。
【図７】第２の実施の形態における画像形成装置のプリントタスクのフローチャートである。
【符号の説明】
【００４３】
１０１  複合機Ａ
１０２  ネットワーク交換機
１０３  コンピュータ
１０４  プリンタＡ
１０５  インターネット
１０６  ネットワークケーブル
１０７  ネットワークインタフェース
１０８  スプール装置
１０９  画像形成部
１１０  操作部
１１１  制御部
１１２  ＣＰＵバス
１１３  画像メモリ
１１４  入金装置
１１５  コンビニエンスストアＡ
【図１】
2006244372.tif 000003
【図２】
2006244372.tif 000004
【図３】
2006244372.tif 000005
【図４】
2006244372.tif 000006
【図５Ａ】
2006244372.tif 000007
【図５Ｂ】
2006244372.tif 000008
【図６】
2006244372.tif 000009
【図７】
2006244372.tif 000010